(57)【特許請求の範囲】
【請求項１】
赤色、緑色、及び青色の光源を備えたカラー光源型の液晶表示ディスプレイにおいて、
２１型以上の大型ディスプレイを構成し、格子状に配列された複数の画素を有するアクティブ素子を持たないＴＮ液晶表示素子と、
前記複数の各画素の周囲に配置されて隣接する画素間で、カラー光源型特有の色の滲みを起こりにくくした格子状のブラックマトリックスによる不透光部分とを備えたことを特徴とするカラー光源型の液晶表示ディスプレイ。
【請求項２】
赤色、緑色、及び青色の光源を備えたカラー光源型の液晶表示ディスプレイにおいて、
２１型以上の大型ディスプレイを構成し、格子状に配列された複数の画素を有するアクティブ素子を持たないＴＮ液晶表示素子と、
前記複数の各画素の周囲に配置されて隣接する画素間で、カラー光源型特有の色の滲みを起こりにくくした格子状のブラックマトリックスによる不透光部分と、
前記ＴＮ液晶表示素子の表面側に配置された表面カバーとを備え、
前記表面カバーは、表面または裏面の少なくとも一方に微細な凹凸を有していることを特徴とするカラー光源型の液晶表示ディスプレイ。
【請求項３】
前記光源は、前記ＴＮ液晶表示素子の背面側に配置され、赤、緑、青の３色管からなるバックライトにより構成されていることを特徴とする請求項１または２に記載のカラー光源型の液晶表示ディスプレイ。
【請求項４】
前記バックライトと前記ＴＮ液晶表示素子との間に配置されたプリズムシートを備え、
前記プリズムシートにより前記光源からの光を前記複数の各画素に垂直方向に進行させること特徴とする請求項１〜３のいずれかに記載のカラー光源型の液晶表示ディスプレイ。
【請求項５】
前記表面カバーは、凹凸の大きさが１乃至１００μｍであることを特徴とする請求項２に記載のカラー光源型の液晶表示ディスプレイ。
【発明の詳細な説明】
【技術分野】
【０００１】
本発明は、カラー光源型の液晶表示ディスプレイ、殊に、大型の画面の場合や、複数の人数で画面を見るような場合に適するカラー光源型の液晶表示ディスプレイに関するものである。
【背景技術】
【０００２】
従来より、さまざまなタイプの液晶表示ディスプレイが知られており、特に、ＴＮ型の液晶表示素子を用いた液晶表示ディスプレイは、単純マトリックスの駆動方式によるため構造が単純であり、製造が容易で低価格で製造することができるという利点がある。この種の液晶表示ディスプレイの一例として、例えばシーケンシャルカラー照明方式によるカラー光源型の液晶表示ディスプレイが知られている（例えば、非特許文献１参照）。
【０００３】
液晶表示ディスプレイは、現在、２１型或いはそれ以上の大型のものが試作、研究されているが、例えば複数の人数で画面を見る壁掛けテレビや、ワークステーションの大型ディスプレイ等として用いるために、今後、製造コストの低減とともに広視野角をもつものを開発することが不可欠となる。
【０００４】
ところが、ＴＮ型の液晶表示ディスプレイは、液晶のもつ屈折率異方性の影響で、上下の視野角が狭いうえ、中間調においての視角依存性が特に激しく、上下の方向から見ると画面全体が暗くなって表示内容が見えなくなったり、明暗反転現象が生じたりという視角依存性が問題となっていた。
【０００５】
この場合、ディスプレイを正面以外から見ることができないだけでなく、例えば大きな画面のものを近い距離から見る場合には、正面から見ても、画面の両端で色や明るさが異なって見えてしまうという問題があった。
【０００６】
そこで、液晶ディスプレイの広視野角を得るために、分割した画素に異なる電圧−透過率特性をもたせる画素分割法と呼ばれる方法や、分割した画素に異なる配向方向を与える配向分割法と呼ばれる方法等が開発されている。
【０００７】
しかし、これらの方法はいずれも、製造時に複雑な工程を有するために、製造が困難であり、コスト高となるうえ、製品の安定性に問題があった。
【非特許文献１】カラー液晶ディスプレイ，産業図書株式会社，平成６年３月１日  第３刷，ｐ．７０−７１，９４−９７，１０８−１１３
【発明の開示】
【発明が解決しようとする課題】
【０００８】
本発明の目的は、鮮明な表示画像を得ることができるカラー光源型の液晶表示ディスプレイを提供することにある。
【課題を解決するための手段】
【０００９】
本発明は、上記目的を達成するため、赤色、緑色、及び青色の光源を備えたカラー光源型の液晶表示ディスプレイにおいて、２１型以上の大型ディスプレイを構成し、格子状に配列された複数の画素を有するアクティブ素子を持たないＴＮ液晶表示素子と、前記複数の各画素の周囲に配置されて隣接する画素間で、カラー光源型特有の色の滲みを起こりにくくした格子状のブラックマトリックスによる不透光部分とを備えたことを特徴とするカラー光源型の液晶表示ディスプレイを提供する。
更に本発明は、上記目的を達成するため、赤色、緑色、及び青色の光源を備えたカラー光源型の液晶表示ディスプレイにおいて、２１型以上の大型ディスプレイを構成し、格子状に配列された複数の画素を有するアクティブ素子を持たないＴＮ液晶表示素子と、
前記複数の各画素の周囲に配置されて隣接する画素間で、カラー光源型特有の色の滲みを起こりにくくした格子状のブラックマトリックスによる不透光部分と、前記ＴＮ液晶表示素子の表面側に配置された表面カバーとを備え、前記表面カバーは、表面または裏面の少なくとも一方に微細な凹凸を有していることを特徴とするカラー光源型の液晶表示ディスプレイを提供する。
【００１０】
また、本発明は、液晶表示ディスプレイの表面カバーの表面または裏面の少なくとも一方に微細な凹凸を有する構成としてもよい。
【００１１】
表面カバーが微細な凹凸を有することによって、各画素からの光が表面カバーを通過する際に拡散するため、視野角が広くなる。
【００１２】
また、各画素の周囲に不透光部分を形成することによって、各画素からの光を区別し、光が表面カバーを通過する際に拡散しても、隣接する画素の光同士が互いに混ざり合って色が滲むということが起こりにくく、明確に画面の情報を読みとることができる。
【００１３】
更に、導光板と液晶表示素子との間にプリズムシートを配置することによって、光源から各画素に垂直に光が進行するため、より一層、隣接する画素の色が滲みにくくなる。
【発明の効果】
【００１４】
本発明によると、隣接する画素間で、カラー光源型特有の色の滲みを起こりにくくしたので、鮮明な表示画像を得ることができる。また、カラー光源型の液晶表示ディスプレイの構造自体は従来と全く変わらずに、表面カバーに微細な凹凸を設けるだけで、視野角の広い液晶表示が可能となる。従って、容易な工程によって、安価で安定した性能をもつ広視野角なカラー光源型の液晶表示ディスプレイを提供することができる。
【００１６】
更に、導光板と液晶表示素子との間にプリズムシートを配置することにより、広視野角となっても、隣接する画素間の色の滲みが一層起こりにくくなるとともに輝度も増す。
【発明を実施するための最良の形態】
【００１７】
本発明の実施の形態を図面に基づいて説明する。
【００１８】
図１は、本発明の実施の形態の一例を用いた液晶表示ディスプレイを示すものであり、液晶表示ディスプレイは、ディスプレイ部１と、バックライト２と、これらの間に配置されたプリズムシート３とからなっている。
【００１９】
ディスプレイ部１の構造は、従来より一般に製造されているＴＮ型液晶表示ディスプレイと同様であり、上層から順に表面カバー１１、液晶表示素子１２、電子回路１３、ガラス基板１４および偏光板１５を積層したものである。
【００２０】
一方、バックライト２は、ディスプレイ部１における偏光板１１の下面に配置された導光板２１と、この一方の側面に配置された光源、例えば、Ｒ（赤色）管２２、Ｇ（緑色）管２３、Ｂ（青色）管２４の三色管からなる光源とで構成される。
【００２１】
そして、表面カバー１１は、例えば板ガラスからなり、その表面に、例えばフッ酸で洗浄する等のように化学的な方法によって、或いは、極めて微細な粉体によるサンドブラスト等のような機械的な方法によって、図１に示すように微細な凹凸を設けてすりガラス状にし、バックライト２から到達した光が拡散して外部に放出されるようにする。これによって、透明ガラスを表面カバーとした場合に比べ、広角に光が放出されるので、広視野角をもったディスプレイとなる。このとき、表面カバー１１の凹凸の大きさは、例えば１μｍ乃至１００μｍ程度とされ、バックライト２の光量や光の拡散度と画素の大きさとの関係等により、適宜調整される。
【００２２】
更に、各画素の周囲は、例えば金属クロム等で形成される格子状のブラックマトリックスによる不透光部分１６で囲み、各画素間に黒い仕切りを設けることによって、光が拡散しても、隣接する画素の色が互いに混ざりにくくなるようにする。従って、広視野角で且つ鮮明な画像が得られるようになる。
【００２３】
また、プリズムシート３は、従来より使用されているものと同様であり、バックライト２からの光を各画素に垂直方向に進行させるためのものである。これを配置することにより、隣接する画素に誤って光が到達することを防ぎ、広視野角となっても、色の滲みを防ぐことができる。
【００２４】
尚、表面カバー１１をすりガラス状にすることによって生じる可視光透過率の低下に対しては、例えば、前記ブラックマトリックスやプリズムシートの採用の他に、バックライト２の光量の増加等が有効である。
【図面の簡単な説明】
【００２６】
【図１】本発明の実施の形態を示す概略斜視図である。
【符号の説明】
【００２７】
１  ディスプレイ部
２  バックライト
３  プリズムシート
１１  表面カバー
２１  導光板
【図１】
0004022541.tif 000002